(57)【特許請求の範囲】
【請求項１】
換気空間の出入口に設けられる扉体と、該扉体の戸当り部材とを備えた扉装置であって、
前記戸当り部材は、前記出入口の両側部に設けられる一対の縦枠と、前記一対の縦枠を連結する横枠とを備え、
前記縦枠と前記横枠とは、それぞれ互いに連通する中空部を有しており、
前記縦枠には前記換気空間外の空気を吸気する吸気口が上下方向に沿って複数個設けられ、前記吸気口から取り込んだ空気を前記換気空間へ排気する排気口が、前記一対の縦枠の上端部間を連結する前記横枠のみに設けられており、前記吸気口から取り込んだ空気が、前記縦枠と横枠の中空部を介して前記排気口から排気される構成とされていることを特徴とする扉装置。
【請求項２】
請求項１において、
前記吸気口は、前記一対の縦枠の前記扉体が当接する面に且つ前記扉体が当接する箇所を避けるように複数形成されていることを特徴とすると扉装置。
【発明の詳細な説明】
【技術分野】
【０００１】
本発明は、換気空間の出入口に設けられる扉体と、該扉体の戸当り部材とを備えた扉装置に関する。
【背景技術】
【０００２】
従来より、トイレやクローゼット等の換気が必要な換気空間の出入口に設けられる扉体に、通気口を設け、この通気口から換気空間外の空気を取り込めるようにしたものが知られている。
しかしながら、扉体に通気口を設けると通気口が目立って美観性を損なう場合がある。また通気口の形成位置によっては、通気口から換気空間内が見えてしまう場合もある。
【０００３】
下記特許文献１には、ドア枠の縦枠に付設した中空状の戸当り部材に関し、開閉するドアが当接する戸当り側の側板のドアの戸先部が当接しない部分に室外換気孔を、また戸当り側の側板と隣接する側板に室内換気孔が設けられたドアの換気装置が開示されている。
これによれば、室内外の換気孔が扉体ではなく、戸当り部材に設けられているので、扉体の美観性を損ねることがなく、換気孔から換気空間内がみえてしまうこともない。
【先行技術文献】
【特許文献】
【０００４】
【特許文献１】実開平６−５６４６９号公報
【発明の概要】
【発明が解決しようとする課題】
【０００５】
しかしながら特許文献１に開示されているものの場合、吸気口となる室外換気孔だけでなく、排気口となる室内換気孔も上下方向に複数形成されているので、ある高さ位置で重点的に排気させることは難しい構成であった。
【０００６】
本発明は、上記実情に鑑みなされたものであり、同じ高さ位置から重点的に排気させることができ、見栄えのよい扉装置を提供することを目的としている。
【課題を解決するための手段】
【０００７】
換気空間の出入口に設けられる扉体と、該扉体の戸当り部材とを備えた扉装置であって、前記戸当り部材は、前記出入口の両側部に設けられる一対の縦枠と、前記一対の縦枠を連結する横枠とを備え、前記縦枠と前記横枠とは、それぞれ互いに連通する中空部を有しており、前記縦枠には前記換気空間外の空気を吸気する吸気口が上下方向に沿って複数個設けられ、前記吸気口から取り込んだ空気を前記換気空間へ排気する排気口が、前記一対の縦枠の上端部間を連結する前記横枠のみに設けられており、前記吸気口から取り込んだ空気が、前記縦枠と横枠の中空部を介して前記排気口から排気される構成とされていることを特徴とする。
【０００８】
本発明においては、前記吸気口は、前記一対の縦枠の前記扉体が当接する面に且つ前記扉体が当接する箇所を避けるように複数形成されているようにしてもよい。
【発明の効果】
【０００９】
本発明に係る扉装置は、上述のような構成としたことで、同じ高さ位置から重点的に排気させることができ、見栄えのよいものとすることができる。
【図面の簡単な説明】
【００１０】
【図１】（ａ）、（ｂ）は本発明の一実施形態に係る扉装置の概略正面図であり、（ａ）は同扉装置を換気空間外（扉体の表側）からみた図、（ｂ）は同扉装置を換気空間内（扉体の裏側）からみた図である。
【図２】（ａ）は図１（ａ）のＸ−Ｘ線断面図である。（ｂ）は同扉装置が設置される場所の一例を示す間取り図である。
【図３】（ａ）、（ｂ）は同扉装置の一部拡大概略斜視図であり、（ａ）は同扉装置を換気空間外（扉体の表側）からみた図、（ｂ）は同扉装置を換気空間内（扉体の裏側）からみた図である。
【発明を実施するための形態】
【００１１】
以下に本発明の実施の形態について、図面に基づいて説明する。
なお、以下の実施形態では、図１（ａ）に示す側を扉体２の表側とし、図１（ｂ）に示す側を扉体２の裏側として説明する。また図２（ａ）では空気の流れを説明するため、戸当り部材３はハッチングを一部省略して示している。さらに図中、複数形成される吸気口４０、排気口５０の符号を一部省略し、扉体２に設けられるラッチ機構の図示も省略する。
【００１２】
本実施形態に係る扉装置１は、図１（ａ）及び（ｂ）に示すように、換気空間６（図２（ｂ）参照）の出入口８に設けられる扉体２と、扉体２の戸当り部材３とを備えている。戸当り部材３は、出入口８の両側部に設けられる一対の縦枠４，４と、一対の縦枠４，４を連結する横枠５とを備えている。縦枠４，４には換気空間外７（図２（ｂ）参照）の空気を吸気する吸気口４０が上下方向に沿って複数個設けられ、横枠５には吸気口４０から取り込んだ空気を換気空間６へ排気する排気口５０が設けられている。
以下、詳しく説明する。
【００１３】
扉装置１が設けられる出入口８は、図２（ａ）及び（ｂ）に示すように屋内空間を仕切る内壁１０に正面視において縦長の略長方形状に開口して形成されており、扉装置１はこの出入口８を開閉自在に塞ぐように設けられる。出入口８には、戸枠９が設けられており、戸枠９は、出入口８の左右両側面に沿って設けられる一対の縦戸枠９０，９０と、この一対の縦戸枠９０，９０の上端部間及び下端部間を連結する一対の横戸枠９１，９１とを備えている。なお、図例の戸枠９は、出入口８の四方に設けられた例を示しているが、これに限定されず、下側に設けられた横戸枠を備えていない３方に設けられた戸枠であってもよい。戸枠９の材質は、特に限定されないが、例えば、無垢の木材、木質繊維材、木質集成材等の木質系材料から形成されたものとしてもよい。
【００１４】
戸枠９の内側面には、開閉自在に回動する扉体２が行きすぎないように戸枠９から突出するように戸当り部材３が設けられている。具体的には、図３（ａ）、（ｂ）に示すように縦戸枠９０の内側面９０ａには縦枠４、上側の横戸枠９１の内側面９１ａには横枠５が設けられている。戸当り部材３の材質は、特に限定されないが、戸当り部材３の内部空間を空気が通じるように中空に形成されるものであれば、合成樹脂系材料や金属系材料等から形成するようにしてもよい。
【００１５】
扉体２は、出入口８を閉塞または開放する扉とされ、正面視において図１（ａ）、（ｂ）に示すように略長方形状の板体よりなり、縦戸枠９０に設けられた蝶番２１によって回動自在に取り付けられている。蝶番２１は、扉体２を回動自在に縦戸枠９０によって支持し得るように、上下方向に沿って間隔を空けて複数箇所に設けられている。
図１（ａ）、（ｂ）及び図２（ａ）において、２０は扉体２を開閉する際の取手となるドアハンドルであり、扉体２の表面及び裏面に設けられている。また図２（ａ）において、２２は縦枠４の扉体２が当接する扉当接面４１に設けられたクッション材であり、図３（ａ）では、説明のためクッション材の図示を省略している。
【００１６】
次に戸当り部材３に形成された吸気口４０、排気口５０について説明する。
戸当り部材３の縦枠４は、図２（ａ）に示すように断面視において略矩形状に形成され、吸気口４０から取り込んだ空気が流通する中空部４ａと、縦戸枠９０の幅方向略中央部位に形成された凹所９０ａに嵌め入れられる凸部４ｂとを有している。換気空間外７の空気を吸気する吸気口４０は、図１（ａ）及び図３（ａ）等に示すように上下方向に沿って設けられ、縦枠４の扉体２の裏面端部が当接する扉当接面４１に且つ扉体２が当接する箇所を避けるように複数個、形成されている。これによれば、縦枠４に複数形成された吸気口４０によって、効率よく空気を取り込むことができる。また吸気口４０は扉体２が当接する箇所を避けるように形成されているので、扉体２が閉じられていても換気空間外７から吸気口４０を通じて空気を取り込むことができる。
【００１７】
吸気口４０は、縦枠４の長手方向に適宜間隔をあけて形成された貫通孔であり、その形状は、図例の真円形状に限定されず、略楕円形状、略長円形状、略正方形状、略長方形状、多角形状等としてもよく、要は換気空間外７の空気を取り込めるように開口していればよい。
吸気口４０は、図例のように長手方向に規則的に複数並んで設けられているものに限定されない。例えば、図例よりも吸気口４０の間隔を空けて形成されたものとしてもよいし、両端のみ或いは中央のみに形成されるようにしてもよく、吸気口４０の数が少ないほど、強度を確保しやすいが、吸気口４０の数が多いほど、効率よく換気空間外７の空気を取り込むことができる。また一対の縦枠４，４のうち、いずれか一方にのみ吸気口４０が形成されているものとしてもよいが、図例のように一対の縦枠４，４に形成されたものとすれば、効率よく換気空間外７の空気を取り込むことができる。
【００１８】
縦枠４の長手方向上端部の横枠５との接合部分には、横枠５の中空部５ａ（図３（ａ）及び（ｂ）参照）と連通する連通口３０が開口して形成されている。なお、図例では、横枠５が一対の縦枠４，４の上端部間にのみ設けられている例を示しているが、これに限定されず、一対の縦枠４，４の下端部間にも設けられている場合は、下側の横枠（不図示）と連通する連通口が開口して形成される。
この連通口３０によって、複数の吸気口４０から取り込まれた空気は、縦枠４の中空部４ａを通じ、連通口３０を介して横枠５の中空部５ａへと通じる。なお、吸気口４０には、塵埃を捕集するためのフィルター等を設けてもよい。
【００１９】
戸当り部材３の横枠５は、断面視において略矩形状に形成され、吸気口４０から取り込まれ、連通口３０を通じて横枠５に流れてきた空気が流通するように長手方向に貫通した中空部５ａを有している。よって、縦枠４に形成された連通口３０を覆うように横枠５の端部を配せば、縦枠４と横枠５の間に空気を流通させることができる。換気空間６へ換気空間外７から取り込んだ空気を排気する排気口５０は、図１（ｂ）及び図３（ｂ）等に示すように換気空間６に向けて複数個形成されている。排気口５０は、横枠５の長手方向に適宜間隔をあけて形成された貫通孔であり、その形状は、図例の略長方形状に限定されず、真円形状、略楕円形状、略長円形状、略正方形状、多角形状等としてもよく、要は換気空間６へ空気を排気できるように開口していればよい。また排気口５０は、空気の流れ方向を調整できるように開口部にルーバを設けるようにしてもよい。
【００２０】
排気口５０は、図例のように長手方向に規則的に複数並んで設けられているものに限定されない。例えば、図例よりも吸気口４０の間隔を空けて形成されたものとしてもよいし、両端のみ或いは中央のみに形成されるようにしてもよく、排気口５０の数が少ないほど、強度を確保しやすいが、排気口５０の数が多いほど、効率よく換気空間６へ空気を排気することができる。
以上によれば、複数の排気口５０を同じ高さ位置に一まとめとすることができ、その高さ位置から重点的に排気することができる。例えば、図例のように上側の横枠５に排気口５０を複数形成した場合は、上方の高さ位置から重点的に排気でき、下側の横枠（不図示）に排気口を複数形成した場合は、床面側にむけて重点的に排気することができる。また、図例のように、排気口５０を一対の縦枠４，４の上端部間を連結する横枠５に形成されているようにした場合は、排気される空気が上側から排気されるので、足元に空気の流れが生じず、寒さを感じることを防ぐことができる。
【００２１】
次に図２（ａ）及び（ｂ）を参照しながら、空気の流れについて説明する。図２（ｂ）において６０は、換気扇等の換気装置である。換気装置６０の設置位置は、壁面に限定されず、天井面でもよい。
扉体２が閉じられた状態において、換気空間外７の空気は、縦枠４に設けられた吸気口４０から中空部４ａに取り込まれ、中空部４ａ、連通口３０、横枠５の中空部５ａを通じて排気口５０から換気空間６に排気される。このようにして換気空間外７の空気を換気空間６内に扉体２で出入口８を塞いだ状態で取り込むことができる。そして換気空間６内の空気は、換気空間６の壁面に設置された換気装置６０によって屋外に排気される。
【００２２】
以上によれば、図２（ａ）に示すように扉体２が閉じられた状態でも、吸排気口４０，５０が設けられているので、換気空間６に換気空間外７の空気を取り込むことができる。また扉体２に吸排気口がないので、見栄えがよく、また縦枠４及び横枠５の離れた位置にある一面に吸排気口４０，５０が形成されているので、吸排気口４０，５０が覗き窓になってしまうことがない。
【００２３】
なお、扉装置１、扉体２、戸当り部材３、ドアハンドル２０、蝶番２１、換気空間６等の構成、形状は図例に限定されず、換気空間６は、トイレ、クローゼット、寝室、リビング等とあらゆる室内空間とすることができる。扉体２としては、出入口８に設置される一枚扉の例を示しているが、２枚扉であってもよいし、複数枚で構成される折戸であってもよい。
【符号の説明】
【００２４】
１        扉装置
２        扉体
３        戸当り部材
４        縦枠
４０      吸気口
５        横枠
５０      排気口
６        換気空間
７        換気空間外
８        出入口
【図１】
0005861120.tif 000002
【図２】
0005861120.tif 000003
【図３】
0005861120.tif 000004